【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
鶏卵の冷蔵庫収納方法は、容器毎一括収納して、庫内の冷気を逃がさないようにし、電気エネルギーのロスを抑えねばならない。その為、上下容器を分離し易くして、収納や、容器リサイクルをし易くしたり、下側容器を冷蔵庫に付属させたり、下側容器単独で商品化して販売する等の方法、更に、在庫数と賞味期限の双方を表示した紙片を冷蔵庫に掲示する方法等、あまねく当該目的達成の為に、諸策の全部、又は、一部を具体化した事を特長とする、京都議定書対応の鶏卵の冷蔵庫収納方法。
【手続補正２】
【補正対象書類名】明細書
【補正対象項目名】全文
【補正方法】変更
【補正の内容】
【発明の詳細な説明】
【発明の名称】鶏卵の冷蔵庫収納方法
【技術分野】
【０００１】  この発明は、１パック１０個以下の市販鶏卵を、電気冷蔵庫に収納するに際し、一括して収納すれば、庫内冷気が外に逃げず、省資源できるので、この努力を、各個人がし易くする為に、従来の鶏卵の容器包装方式を、容器単独のリサイクルし易さの面も含めた見直しをし、消費電力を減らす事を狙いとする。尚、この一括収納に際し、下側容器を冷蔵庫メーカーが付属させたのに移し替えて収納するか、この容器単独を商品化したのを買い求めるか、鶏卵容器をその儘使用するか、のいずれかの方法で対応する一方、賞味期限の表示を鶏卵個々にしていたのを止め、賞味期限表示紙片一枚を冷蔵庫に掲示する方法で間に合わせる努力を各個人がする事も必要、更に、この紙片の端の髭出しで在庫数表示して、ドア開閉頻度減らす等の、鶏卵を電気冷蔵庫に収納する際の、総合的な省資源技術。
【背景技術】
【０００２】  従来の鶏卵容器は、容器毎収納しづらかったので、冷蔵庫に収納する際は、一個ずつ移すしかなく、滑り落とすリスクや、全部移し終わる迄、ドアを開けっ放しにせざるを得無い一方、無駄な包装をしていたり、容器を使い捨てするのが常であり、賞味期限の表示に至っては、鶏卵個々にしている場合もあり、こうした無駄は、京都議定書に対応するエネルギーの節約方法に反していた。
【発明の開示】
【発明が解決しようとする課題】
【０００３】  解決しようとする問題点は、市販鶏卵容器包装の代表的な容器について記述する。イ．包装後の容器長手方向の片側は、上下一体成形の為、糸を引っ張って分離していた。ロ．反対側は、上下を熱融着していた為、鋏でも切断し難く、２重の無駄であった。ハ．糸を使ったり、熱融着する方法は、容器再生の必要な時代の要請に合致していない。ニ．電気冷蔵庫メーカーが付属させている鶏卵用スペーサーは、容器として使え無い。ホ．賞味期限の鶏卵個々への表示は、エネルギーの節約精神に反した無駄の象徴である。ヘ．賞味期限表示紙片を掲示するついでに、在庫数を表示する工夫が欠けている。
【課題を解決する為の手段】
【０００４】本発明による、鶏卵容器の上下の分離を容易にする方法の一つに、鶏卵を容器に収納後、上下の容器の端同士を合わせて、厳重な熱融着をするのを止め、テープ類で接着するに留め、消費者が鶏卵容器の上下の分離を容易にできるようにしておく。尤も、この場合、もう一方につけてる糸は無い方が良い。二つ目に、上下の容器の型を共通にして輪ゴムで止めておくか、雌雄の固定方式の別体の容器にする方法等その他の応用例が挙げられる。究極の方式は、雌雄の嵌合部を容器周辺に設けて、容器の剛性を上げ、鶏卵を収納して搬送に際し、びくともしない頑丈さの容器がベスト、糸や、テープ類や、輪ゴムや、熱融着の無駄が一掃できるからである。電気冷蔵庫メーカーが付属させている鶏卵用スペーサーは、容器として使え無いので、流通実態から、冷蔵庫メーカーは、鶏卵容器の下側の容器毎、一括に鶏卵を収納して、省エネルギーを顧客に指導すると共に、鶏卵用スペーサーを付属させるなら、是を鶏卵収納下側容器に変え、オプションとして、省資源に努めるのが得策である。一方、賞味期限の表示は、紙片に表示した一枚を、庫外壁に掲示すれば間に合う。この紙片の端に、必要個数、例えば、１０本の切り込みを入れて在庫数を表示すれば、ドアを開けずに在庫数がわかるので、この省エネルギー効果も大きい。
【発明の効果】
【０００５】鶏卵を、下側の容器毎、一括に、冷蔵庫に収納し得るので、ドアの開放時間を短縮でき、冷気が逃げるのを防ぐと共に、個別に収納する際の落下リスクも解消し得るものでもある。上下の容器の型を共通にすると、鶏卵の上下気にせず容器に入れられ、容器分割用糸や、上下容器を接着するテープ類も必要無くなり、熱融着に関わる費用の節約もでき、輪ゴムは他に転用できる。雌雄の嵌合部を容器周辺に設ける場合、型の共通はできないが、容器の剛性が上がるので、ゴムで纒める必要も無くなり、製造コストが減り、容器のリサイクルも可能に成り、省エネ効果が一段と増す。尤も、雌雄の嵌合部を、容器ねじれに因る応力集中避ける為、短い辺長の中心部で反転させると、型の共通化はでき、究極の鶏卵容器となる。一方、紙片による庫外壁での賞味期限の表示は、個々の鶏卵に表示するのを無駄にせしめると共に、在庫数も表示できるので、ドアを開けずに在庫数がわかるようになり、省エネルギー効果は一段と向上する。
【発明を実施するための最良の形態】
【０００６】  以下、本発明の最良の実施形態を説明する。イ．容器の上下は、完全に共通化してあるので、型が一つだと、容器２個で一組となり、型の個数を増やせば、多量に生産が可能となるのは、現状と変わりない。ロ．容器上下の合わせ目には、雌（１）雄（２）の嵌合部を容器周辺に設けるが、長方形の容器周辺の短い辺の中央部で、雌（１）雄（２）の嵌合部を反転させる。ハ．鶏卵を抱く部分（３）は、鶏卵の上下の形状の双方に合致した形として共通化する。ニ．冷蔵庫に収納する場合は、今迄庫内で使っていた下側容器（６）を、一旦、庫外に出して、鶏卵（７）全部を移し替えてから、一括して収納する。ホ．下側容器（６）を交換したければ、購入してきた下側容器（４）毎収納し、購入してきた上側容器（５）と、下側容器（６）を対にしてリサイクルにまわせばよい。ヘ．尤も、壊れてなければ、容器単品でも、他の人の提出分と併せれば、対にできる。ト．賞味期限表示紙片（８）を、庫外壁（９）に、例えば、磁石（１０）等で掲示する。チ．賞味期限表示紙片（８）の端に、在庫数に合わせた髭（１１）を出せるようにする。髭（１１）は、メーカーで印刷するに留め、消費者が鋏を入れるのが適切である。  本発明は、以上の構成よりなっている。
【産業上の利用可能性】
【０００７】当該、京都議定書対応の鶏卵の冷蔵庫収納方法とは、鶏卵収納容器包装上の無駄を無くす事で、消費者が、購入してきた鶏卵を、電気冷蔵庫に収納する時に、今迄、無駄にしてきた電気エネルギーを、無駄にせずに済ます事が可能になり、時代の要請上、避けて通るわけには行かず、画期的な発明と言えよう。賞味期限表示紙片で在庫管理する合理性と共に、塵も積もれば山と成る式に省エネ効果得られる典型例である。
【図面の簡単な説明】
【０００８】
【図１】容器の雌（１）雄（２）部分と、鶏卵を抱く部分（３）と、鶏卵（７）を明示した断面図。
【図２】雌（１）雄（２）の嵌合部を、短い辺長の中心部で反転させた部分的平面図。
【図３】［図２］のＡ−Ａ線断面図。
【図４】賞味期限表示紙片（８）を、庫外壁（９）に、例えば、磁石（１０）で掲示するに際し、例えば、在庫数３個に合わせた髭（１１）を３本出している図。
【符号の説明】
【０００９】（１）雌雄の容器固定方式の雌側（２）雌雄の容器固定方式の雄側（３）容器の鶏卵を抱く部分（４）購入してきた下側容器（５）購入してきた上側容器（６）今迄庫内で使っていた下側容器（７）鶏卵（８）賞味期限表示紙片（９）冷蔵庫外壁（１０）磁石等の賞味期限表示紙片留め具（１１）在庫数を表示する髭
【手続補正３】
【補正対象書類名】図面
【補正対象項目名】全図
【補正方法】変更
【補正の内容】
【図１】
2006282271.tif 000001
【図２】
2006282271.tif 000002
【図３】
2006282271.tif 000003
【図４】
2006282271.tif 000004